(57)【要約】【課題】  キャブタイヤケーブル等の電線を地面又は床面上に、地面又は床面から上方に離間した位置に支持し、電線が地面又は床面と直接に接触するのを防止する。【解決手段】  電線１２の複数箇所に着脱自在に電線支持具１を取り付け、この電線支持具１を介して電線１２を地面又は床面上に敷設し、電線１２を地面又は床面から上方に離間した位置に支持する。電線支持具１は、電線１２を着脱自在に装着させる内枠３と、内枠３を囲むように内枠３の外側に離間して外枠５とを備える。電線支持部２の内枠３に電線１２を装着し、外枠５を地面又は床面上に載置させることにより、電線１２は地面又は床面から上方に離間した位置に支持される。【選択図】      図１
2006333550.tif 000002
【特許請求の範囲】
【請求項１】
地面又は床面上に敷設される電線の支持方法であって、
前記電線の複数箇所に着脱自在に電線支持具を取り付け、該電線支持具を介して前記電線を前記地面又は床面上に敷設することにより、前記電線を地面又は床面から上方に離間した位置に支持することを特徴とする電線の支持方法。
【請求項２】
電線の複数箇所に着脱自在に電線支持具を取り付ける電線支持具取付け工程と、電線支持具を取り付けた電線を地面又は床面上に移動可能に敷設する電線敷設工程と、電線の一端を電源に接続し、他端を電気機器に接続する電線接続工程と、電線を接続した電気機器を使用して各種の作業を行う作業工程と、各種の作業の終了後に電線を電源及び電気機器から取り外す取外し工程と、電線から各電線支持具を取り外して電線及び各電線支持具を撤去する撤去工程とを備えてなることを特徴とする電線の支持方法。
【請求項３】
外面から内方に離間した位置で電線を着脱自在に支持する電線支持部を少なくとも１つ備えていることを特徴とする電線支持具。
【請求項４】
前記電線支持部は、電線を着脱自在に装着させる内枠と、該内枠を囲むように内枠の外側に離間して設けられ、該内枠を支持する外枠とを備えていることを特徴する請求項３に記載の電線支持具。
【請求項５】
前記外枠は、外形が円形状に形成されるとともに、該外枠の中心部に前記内枠が設けられていることを特徴とする請求項４に記載の電線支持具。
【請求項６】
前記外枠の一部には、前記内枠内への電線の装着を許容し、前記内枠内から電線が抜け出るのを阻止する係止爪が設けられていることを特徴とする請求項４又は５に記載の電線支持具。
【請求項７】
前記電線支持部は、絶縁性を有する材料から形成されていることを特徴とする請求項３から６の何れかに記載の電線支持具。
【発明の詳細な説明】
【技術分野】
【０００１】
本発明は、電線の支持方法及び電線支持具に関し、特に、ビル等の建築現場等において、地面や床面上等に敷設されるキャブタイヤケーブル等の移動用電線の支持に有効な電線の支持方法及び電線支持具に関する。
【背景技術】
【０００２】
一般に、ビル等の建築現場等においては、各種の電気機器の電源ケーブルとして、天然ゴムキャブタイヤケーブル、クロロプレンゴムキャブタイヤケーブル等のゴムキャブタイヤケーブル（ＪＩＳ  Ｃ３３２７）や、ビニルキャブタイヤケーブル（ＪＩＳ  Ｃ３３１２）等の各種のキャブタイヤケーブルが使用されている。この場合、キャブタイヤケーブルは、工事の進行状況等に応じて電気機器を移動させる場合、電気機器の移動に追従できるように、地面や床面上に移動可能に敷設されている。
【発明の開示】
【発明が解決しようとする課題】
【０００３】
ところで、上記のような移動用の配線として使用されるキャブタイヤケーブル等の電線は、表面がゴムや塩化ビニル樹脂等で被覆されているものの、地面や床面との摩擦や経年変化等により表面の被覆に割れ、破損、劣化等が生じ、部分的に絶縁性が低下することがある。そして、このような絶縁性が低下した部分が地面や床面に形成された水溜りに接触すると、漏電により作業者が感電する危険性が高まり、作業者の安全性を確保することが困難になる。
【０００４】
本発明は、上記のような従来の問題に鑑みなされたものであって、ビル等の建築現場等において使用されるキャブタイヤケーブル等の電線を地面や床面上に敷設しても、キャブタイヤケーブル等の電線が地面や床面上に形成される水溜り等に接触して漏電するようなことはなく、漏電による作業者の感電事故を確実に防止できるとともに、電気機器等の移動に追従させてキャブタイヤケーブル等の電線を地面や床面上等を移動させても、キャブタイヤケーブル等の電線が摩耗したり、割れが生じたり、破損したりして絶縁性が低下するようなことがなく、キャブタイヤケーブル等の電線の絶縁性を確保することができ、さらに、取付け、取外しが容易で作業効率を高めることができる電線の支持方法及び電線支持具を提供することを目的とする。
【課題を解決するための手段】
【０００５】
上記のような課題を解決するために、本発明は、以下のような手段を採用している。
すなわち、請求項１に係る発明は、地面又は床面上に敷設される電線の支持方法であって、前記電線の複数箇所に着脱自在に電線支持具を取り付け、該電線支持具を介して前記電線を前記地面又は床面上に敷設することにより、前記電線を地面又は床面から上方に離間した位置に支持することを特徴とする。
【０００６】
本発明による電線の支持方法によれば、電線の複数箇所に電線支持具を取り付け、この状態で電線支持具を介して電線を地面又は床面上に敷設することにより、電線を地面又は床面から上方に離間した位置に支持することができる。従って、電線が地面や床面に直接に接触するのを避けることができる。
【０００７】
請求項２に係る発明は、電線の複数箇所に着脱自在に電線支持具を取り付ける電線支持具取付け工程と、電線支持具を取り付けた電線を地面又は床面上に移動可能に敷設する電線敷設工程と、電線の一端を電源に接続し、他端を電気機器に接続する電線接続工程と、電線を接続した電気機器を使用して各種の作業を行う作業工程と、各種の作業の終了後に電線を電源及び電気機器から取り外す取外し工程と、電線から各電線支持具を取り外して電線及び各電線支持具を撤去する撤去工程とを備えてなることを特徴とする。
【０００８】
本発明による電線の支持方法によれば、電線支持具取付け工程において、電線の複数箇所に電線支持具を取り付け、電線敷設工程において、複数の電線支持具を取り付けた状態の電線を地面又は床面上に敷設することにより、電線が複数の電線支持具を介して地面又は床面上を移動可能となる。そして、電線接続工程において、電線の一端を電源に接続し、他端を電気機器に接続することにより、電気機器が使用可能な状態となる。そして、作業工程において、電気機器を使用して各種の作業を行い、各種の作業が終了した後に、取外し工程において、電線を電源及び電気機器から取り外し、撤去工程において、電線から各電線支持具を取り外し、電線及び電線支持具が作業現場から撤去されることになる。従って、ビルの建築現場等でキャブタイヤケーブル等の電線を使用して各種の作業を行う場合に、有効に適用することができる。
【０００９】
請求項３に係る発明は、外面から内方に離間した位置で電線を着脱自在に支持する電線支持部を少なくとも１つ備えていることを特徴とする。
【００１０】
本発明による電線支持具によれば、電線支持部に電線を装着することにより、電線が電線支持部の外面から内方に離間した位置に支持されることになる。従って、電線支持部を地面又は床面上に載置することにより、電線を地面又は床面から上方に離間した位置に支持することができる。
【００１１】
請求項４に係る発明は、請求項３に記載の電線支持具であって、前記電線支持部は、電線を着脱自在に装着させる内枠と、該内枠を囲むように内枠の外側に離間して設けられ、該内枠を支持する外枠とを備えていることを特徴する。
【００１２】
本発明による電線支持具によれば、内枠に電線を装着し、この状態で外枠を地面又は床面上に接触させることにより、電線が地面又は床面の上方に離間した位置に支持されることになる。
【００１３】
請求項５に係る発明は、請求項４に記載の電線支持具であって、前記外枠は、外形が円形状に形成されるとともに、該外枠の中心部に前記内枠が設けられていることを特徴とする。
【００１４】
本発明による電線支持具によれば、外枠を地面や床面に接触させた場合に、外枠と地面や床面との間の摩擦抵抗を小さく抑えることができるので、電線を移動させる場合に、地面や床面との間の抵抗を小さく抑えることができ、電線を円滑に移動させることができる。
【００１５】
請求項６に係る発明は、請求項４又は５に記載の電線支持具であって、前記外枠の一部には、前記内枠内への電線の装着を許容し、前記内枠内から電線が抜け出るのを阻止する係止爪が設けられていることを特徴とする。
【００１６】
本発明による電線支持具によれば、内枠内に電線を装着した場合に、係止爪によって内枠から電線が抜け出るのが防止されるので、地面や床面上で電線を移動させても、電線が内枠から抜け出る心配はなく、安定して電線を支持し続けることができる。
【００１７】
請求項７に係る発明は、請求項３から６の何れかに記載の電線支持具であって、前記電線支持部は、絶縁性を有する材料から形成されていることを特徴とする。
【００１８】
本発明による電線支持具によれば、電線支持部は絶縁性を有する材料から形成されているので、電線の絶縁状態が低下していても、電線支持部が地面や床面に形成されている水溜りに接触しても、電線支持部を介して漏電するようなことはなく、漏電による感電事故の発生を防止できる。
【発明の効果】
【００１９】
以上、説明したように、本発明による請求項１に記載の電線の支持方法によれば、電線の複数箇所に電線支持具を取り付け、この状態で電線支持具を介して電線を地面又は床面上に敷設することにより、電線を地面又は床面から上方に離間した位置に支持することができる。従って、電線が地面や床面に直接に接触するのを避けることができるので、地面や床面に水溜りが形成されている場合に、電線が水溜りに接触するのを避けることができ、漏電による感電事故の発生を防止でき、作業者の安全を確保することができる。
【００２０】
また、本発明の請求項２に記載の電線の支持方法によれば、電線支持具取付け工程において、電線の複数箇所に電線支持具を取り付け、電線敷設工程において、複数の電線支持具を取り付けた状態の電線を地面又は床面上に敷設することにより、電線が複数の電線支持具を介して地面又は床面上を移動可能となる。そして、電線接続工程において、電線の一端を電源に接続し、他端を電気機器に接続することにより、電気機器が使用可能な状態となる。そして、作業工程において、電気機器を使用して各種の作業を行い、各種の作業が終了した後に、取外し工程において、電線を電源及び電気機器から取り外し、撤去工程において、電線から各電線支持具を取り外し、電線及び電線支持具が作業現場から撤去されることになる。従って、ビルの建築現場等でキャブタイヤケーブル等の電線を電源ケーブルとする各種の電気機器を用いて各種の作業を行う場合に、各種の電気機器の設置、各種の電気機器を用いての各種の作業、各種の電気機器の撤去等の一連の作業を効率良く行うことができ、工期の短縮化を図ることができる。
【００２１】
さらに、本発明の請求項３に記載の電線支持具によれば、電線支持部に電線を装着することにより、電線が電線支持部の外面から内方に離間した位置に支持されることになる。従って、電線支持部を地面又は床面上に載置することにより、電線を地面又は床面から上方に離間した位置に支持することができ、電線が地面や床面に直接に接触するのを避けることができ、地面や床面に形成される水溜りに電線が接触して漏電するのを防止でき、漏電による感電事故の発生を防止できる。
【００２２】
さらに、本発明の請求項４に記載の電線治具によれば、内枠に電線を装着し、この状態で外枠を地面又は床面上に接触させることにより、電線が地面又は床面の上方に離間した位置に支持されることになる。従って、電線を地面又は床面の上方に離間させる作業を簡単にかつ短時間で行うことができ、電線に接続される各種の電気機器の接続、撤去が容易となり、建築現場等における作業効率を高めることができる。
【００２３】
さらに、本発明の請求項５に記載の電線支持具によれば、外枠を地面や床面に接触させた場合に、外枠と地面や床面との間の摩擦抵抗を小さく抑えることができるので、電線を移動させる場合に、地面や床面との間の抵抗を小さく抑えることができ、電線を円滑に移動させることができる。従って、電線と電源及び電気機器との接続部に過大な荷重が作用するようなことはなく、接続部に緩みが生じて接触不良が生じるのを防止でき、電気機器を安定して使用することができる。
【００２４】
さらに、本発明の請求項６に記載の電線支持具によれば、内枠内に電線を装着した場合に、係止爪によって内枠から電線が抜け出るのを防止できるので、地面や床面上で電線を移動させても、電線が内枠から抜け出る心配はなく、安定して電線を支持し続けることができる。従って、各種の作業中に電線から電線支持具が外れてしまって、電線が地面や床面と接触するようなことはなく、確実に電線を地面や床面から上方に離間した位置に支持し続けることができる。
【００２５】
さらに、請求項７に記載の電線支持具によれば、電線支持部は絶縁性を有する材料から形成されているので、電線の絶縁状態が低下していても、電線支持部が地面や床面に形成されている水溜りに接触して、電線支持部を介して漏電するようなことはなく、漏電による感電事故の発生を防止できる。
【発明を実施するための最良の形態】
【００２６】
以下、図面に示す本発明の実施の形態について説明する。
図１及び図２には、本発明による電線の支持方法及び電線支持具の一実施の形態が示されていて、図１は電線支持具の全体を示した概略図、図２は電線支持具を介して電線を地面又は床面に敷設した状態を示した概略図である。
【００２７】
すなわち、この電線の支持方法及び電線支持具は、ビル等の建築現場の地面又は床面上に移動可能に敷設され、建築現場等で使用される各種の電気機器の電源ケーブルであるキャブタイヤケーブル等の電線の支持に有効なものである。
【００２８】
電線支持具１は、電線１２を支持する部分が外面から内方に離間した位置に設けられるものであって、絶縁性を有する各種の合成樹脂、ゴム等を成形材料として、各種の成形法により所定の形状に成形されている。
【００２９】
電線支持具１の形状は、特に制限はないが、例えば、図１に示すように、３つの環状の電線支持部２が軸線方向の両端部及び中央部に配置される円筒籠状のものが挙げられる。この場合、電線支持部２は、３つに限らず、２つ又は４つ以上としてもよい。
【００３０】
各電線支持部２は、一部が切欠部された環状の内枠３と、内枠３の外側に内枠３を囲むように略同心円状に設けられる一部が切欠された環状の外枠５と、内枠３の外周部と外枠５の内周部との間を放射状に連結する連結棒８とから構成されている。
【００３１】
内枠３と外枠５とは、内枠３の切欠部４と外枠５の切欠部６とが同一線上に位置するように連結棒８を介して一体に連結されるとともに、外枠５の切欠部６の開口縁部には、径方向内方に突出する弾性を有する一対の係止爪７が一体に設けられている。
【００３２】
両係止爪７、７は、相手方係止爪７の方向に膨らむ湾曲形状に形成されるとともに、両係止爪７、７間の間隔は、根元部（外枠５側の部分）から先端部（内枠３側の部分）にかけて順次小さくなるように設定され、根元部間の間隔は支持する電線１２の直径よりもやや大きく、先端部間の間隔は前記電線１２の直径よりもやや小さく形成され、この両係止爪７、７間を押し広げるように電線１２が両係止爪７、７間を介して内枠３の切欠部４に導かれ、切欠部４を介して内枠３内に装着される。
【００３３】
３つの電線支持部２は、外枠５の切欠部６が同一線上に位置するように、軸線を一致させた状態で所定の間隔ごとに配置されるとともに、軸線方向に隣接する電線支持部２、２の外枠５、５間が周方向に所定の間隔ごとに連結棒９によって一体に連結されている。
【００３４】
次に、上記のように構成した本実施の形態による電線支持具１を用いた本発明による電線支持方法の一実施の形態について説明する。
すなわち、この電線支持方法は、電線支持具取付け工程と、電線敷設工程と、電線接続工程と、作業工程と、取外し工程と、撤去工程とを備えている。以下、各工程について説明する。
【００３５】
＜電線支持具取付け工程＞
電線支持具取付け工程では、図１に示す構成の電線支持具１を電線１２の複数箇所に着脱自在に取り付ける。具体的には、電線１２の複数箇所に電線支持具１を位置し、各電線支持部２の外枠５の切欠部６から電線１２を内方に押し込み、両係止爪７、７間を押し広げるようにして内枠３の切欠部４に導き、切欠部４を介して内枠３内に装着する。各電線支持部２の内枠３内に装着された電線１２は、両係止爪７、７によって内枠３から抜け出るのが防止される。なお、隣接する電線支持具１、１間の間隔は、両電線支持具１、１間に仮設される電線１２に緩みが生じない程度とする。
【００３６】
＜電線敷設工程＞
電線敷設工程では、図２に示すように、複数の電線支持具１を取り付けた状態で電線１２を建築現場等の地面又は床面１５上に敷設する。電線１２を複数の電線支持具１を介して地面又は床面１５上に敷設することにより、電線１２を地面又は床面１５上を移動可能とすることができる。
【００３７】
この場合、電線１２は、外枠５の外面よりも内方に位置している内枠３に支持されているので、地面又は床面１５から上方に離間した位置に支持され、地面又は床面１５と直接に接触するのが避けられる。従って、地面又は床面１５に水溜り１６が形成されていても、その水溜り１６に電線１２が直接に接触することはないので、電線１２の絶縁性が低下していても、漏電が生じるようなことはなく、漏電による感電事故の発生を防止できる。
【００３８】
また、必要に応じて、図３に示すような硬質ゴム等からなる防護部材１０を使用し、防護部材１０の貫通孔１１内に電線１２を挿通させ、この防護部材１０の上部を人や一輪車等を移動させるように構成することにより、人や一輪車等の移動によって電線１２に傷がついたり、破損したりするのを防止できる。
【００３９】
＜電線接続工程＞
電線接続工程では、電線１２の一端を電源に接続し、他端を各種の電気機器（ドリル等）に接続し、電気機器を使用可能な状態とする。この場合、電線１２は、複数の電線支持具１を介して地面又は床面１５上に敷設されているので、地面又は床面１５上を容易に移動させることができ、電線１２の電源及び電気機器への接続作業を容易にすることができる。
【００４０】
＜作業工程＞
作業工程では、電線１２を接続した電気機器を使用して各種の作業（壁面への孔開け、切削等の各種の作業）を行う。この場合、作業位置の移動に伴って電気機器を移動させても、電気機器の移動に追従して電線１２を円滑に移動させることができるので、電線１２の電源及び電気機器との接続部に過大な荷重が作用するようなことはない。また、電線１２は、複数の電線支持具１を介して地面又は床面１５上を移動することになるので、電線１２が床面又は地面１５と接触して摩耗したり、傷ついたり、破損したりするようなことはない。また、作業者や一輪車が移動する場合には、防護部材１０の上部を移動することにより、電線１２に傷がついたり、破損したりするのを防止できる。
【００４１】
＜取外し工程＞
取外し工程では、各種の作業が終了した後に、電線１２を電源及び電気機器から取り外し、電線１２を地面又は床面上１５に複数の電線支持具１が取り付けられた状態で位置させる。この場合、電線１２は、電線支持具１を介して地面又は床面１５上を移動可能となっているので、電線１２の電源及び電気機器からの取外し作業を容易に行うことができる。
【００４２】
＜撤去工程＞
撤去工程では、電線１２から各電線支持具１を取り外す。具体的には、手又は工具等を用いて各電線支持部２の両係止爪７、７間を折り広げ、電線１２を内枠３内から両係止爪７、７間を介して外枠５の切欠部６に導き、切欠部６を介して外枠５の外方に引き出す。このようにして、全ての電線支持具１を電線１２から取り外し、さらに、防護部材１０が取り付けられている場合には防護部材１０も取り外す。そして、この後に電線支持具１、防護部材１０、及び電線１２を撤去する。
【００４３】
このように、電線支持具取付け工程、電線敷設工程、電線接続工程、作業工程、取外し工程、及び撤去工程を経ることにより、建築現場等において、各種の電気機器を用いた各種の作業を行うことができる。
【００４４】
上記のように構成した本実施の形態による電線支持方法及び電線支持具にあっては、建築現場等で使用される電気機器等の移動用のキャブタイヤケーブル等の電線１２を、地面又は床面１５から上方に離間させた位置に支持できるので、地面又は床面１５に水溜り１６が形成されていても、その水溜り１６に電線１２が接触するのを防止できる。
【００４５】
従って、電線１２に経年変化等によって割れ、傷、破損等が生じて、絶縁性が部分的に低下していても、絶縁性が低下している部分が水溜り１６に接触して漏電が生じるようなことはなく、漏電によって作業者が感電する事故を防ぐことができ、作業者の安全性を確保することができる。
【００４６】
また、電線支持具１によって電線１２が地面又は床面１５に直接に接触するのを阻止することができるので、電気機器等の移動に追従させて電線１２を移動させても、電線１２の表面の被覆が地面又は床面１５と接触して摩耗したり、傷づいたりするようなことはなく、所定の絶縁性を確保することができる。
【００４７】
さらに、電線支持具１を円筒籠状に形成しているので、電気機器の移動に追従させて電線１２を移動させる場合に、電線支持具１と地面又は床面１５との間に生じる摩擦抵抗を小さく抑えることができ、電線１２の移動を円滑に行うことができ、過大な摩擦抵抗が生じることによって電線１２の電気機器、電源との接続部等に緩みが生じるのを防止でき、電線１２の接触不良による電気機器等の故障を防止できる。
【００４８】
さらに、電線支持具１を円筒籠状に形成しているので、電線支持具１の開口部を介して電線１２を空気と接触させることができ、電線１２の熱を効率良く大気中に放出させることができ、電線支持１具により電線１２の内部に熱がこもる防止できる。
【００４９】
なお、前記の説明においては、電線支持具１を円筒籠状に形成したが、これに限定することなく、角筒籠状、三角筒籠状等、円筒状、角筒状、三角筒状等としてよい。要は、電線１２を地面又は床面１５から上方に離間させることができる形状であればよい。
【図面の簡単な説明】
【００５０】
【図１】本発明による電線支持具の一実施の形態を示した概略図であって、電線に取り付けた状態を示した説明図である。
【図２】電線支持具を取り付けた状態の電線を地面又は床面上に敷設した状態を示した説明図である。
【図３】防護部材の部分拡大説明図である。
【符号の説明】
【００５１】
１    電線支持具
２    電線支持部
３    内枠
４、６  切欠部
５    外枠
７    係止爪
８、９  連結棒
１０  防護部材
１１  貫通孔
１２  電線
１５  地面又は床面
１６  水溜り
【図１】
2006333550.tif 000003
【図２】
2006333550.tif 000004
【図３】
2006333550.tif 000005